(57)【要約】【課題】色覚障害者にとって認識し易い画像を提供することを可能とする。【解決手段】色補正部３２の判定部４１は、補正の対象画像に、色覚障害者により本来の色とは異なる第２の色（茶色）に認識される第１の色（緑色）が付された第１の領域とともに、上記第２の色が付された第２の領域が存在するか否かを判定する。判定部４１により、上記第１の領域とともに上記第２の領域が上記対象画像に存在すると判定された場合、補正部４２は、色覚障害者が、上記第１の領域と第２の領域を見分けることができるように、少なくとも、上記第１の領域（緑色）若しくは上記第２の領域（茶色）の一方の色を第３の色に変換する。本発明は、プリンターに適用することができる。【選択図】図２
2010245989.tif 000002
【特許請求の範囲】
【請求項１】
補正の対象画像に、色覚障害者により本来の色とは異なる第２の色に認識される第１の色が付された第１の領域とともに、上記第２の色が付された第２の領域が存在するか否かを判定する判定手段と、
上記判定手段により、上記第１の領域とともに上記第２の領域が上記対象画像に存在すると判定された場合、色覚障害者が、上記第１の領域と第２の領域を見分けることができるように、少なくとも、上記第１の領域若しくは上記第２の領域の一方の色を第３の色に変換する補正手段と
を有することを特徴とする画像処理装置。
【請求項２】
請求項１に記載の画像処理装置において、
前記補正手段は、異なる色が示される表示部と、上記表示部に示されている色の見分けやすさの程度を入力することができる入力部とを有する診断シートの、上記入力部への入力結果に基づいて、前記第１の色、前記第２の色、または前記第３の色を決定する
ことを特徴とする画像処理装置。
【請求項３】
請求項２に記載の画像処理装置において、
前記診断シートは、印刷されており、
印刷された前記診断シートの内容を読み取る読み取り手段からの読み取り結果を取得する取得手段をさらに有し、
前記補正手段は、上記取得手段により取得された、前記診断シートの前記入力部への入力結果に基づいて、前記第１の色、前記第２の色、または前記第３の色を決定する
ことを特徴とする画像処理装置。
【請求項４】
請求項１に記載の画像処理装置において、
前記第１の色または記第２の色を、前記第３の色に変換するためのルックアップテーブルを保持する保持手段をさらに有する
ことを特徴とする画像処理装置。
【請求項５】
請求項１に記載の画像処理装置において、
前記補正手段は、前記第１の色または前記第２の色が前記第３の色に変換された前記第１の領域または前記第２の領域に対応させて、前記第３の色に変換される前の前記第１の色または前記第２の色を示す情報を表示する
ことを特徴とする画像処理装置。
【請求項６】
補正の対象画像に、色覚障害者により本来の色とは異なる第２の色に認識される第１の色が付された第１の領域とともに、上記第２の色が付された第２の領域が存在するか否かを判定する判定ステップと、
上記判定ステップにより、上記第１の領域とともに上記第２の領域が上記対象画像に存在すると判定された場合、色覚障害者が、上記第１の領域と第２の領域を見分けることができるように、少なくとも、上記第１の領域若しくは上記第２の領域の一方の色を第３の色に変換する補正ステップと
を含むことを特徴とする画像処理方法。
【請求項７】
画像を補正する画像処理をコンピューターに実行させるプログラムであって、
補正の対象画像に、色覚障害者により本来の色とは異なる第２の色に認識される第１の色が付された第１の領域とともに、上記第２の色が付された第２の領域が存在するか否かを判定する判定ステップと、
上記判定ステップにより、上記第１の領域とともに上記第２の領域が上記対象画像に存在すると判定された場合、色覚障害者が、上記第１の領域と第２の領域を見分けることができるように、少なくとも、上記第１の領域若しくは上記第２の領域の一方の色を第３の色に変換する補正ステップと
を含む画像処理をコンピューターに実行させることを特徴とするプログラム。
【発明の詳細な説明】
【技術分野】
【０００１】
本発明は、画像処理装置、画像処理方法、およびプログラムに関する。
【背景技術】
【０００２】
一部の色味が見えにくい色覚障害を有する方（いわゆる色覚障害者）がいる。日本においては、男性で人口の約５％、女性で人口の約０．２％の方が色覚障害を有しているといわれている。
【０００３】
このような色覚障害者は、使われる色によって、印刷物やコンピューターに表示される画像が見え難いときがある。
【０００４】
そこで、色覚障害者が認識し難い色を、認識し易い色に変換する技術が開発されている（特許文献１参照）。
【先行技術文献】
【特許文献】
【０００５】
【特許文献１】特開平１１−１７５０５０号公報
【発明の概要】
【発明が解決しようとする課題】
【０００６】
しかしながら、色覚障害者が認識し難い色を、単に認識し易い色に変換しただけでは、画像の内容を正確に把握できないときがある。たとえば「赤色」を「茶色」に認識し、「茶色」は「茶色」として認識する色覚障害がある。この色覚障害を有する色覚障害者にとって、ある領域に認識し難い色としての「赤色」が付され、他の領域に認識し易い色としての「茶色」が付されていた場合、認識し難い色としての「赤色」を、認識し易い色としての「茶色」に変換しただけでは、「赤色」が付されていた領域と、もともと「茶色」が付されていた領域を見分けることができなくなり、画像の内容を正確に把握することができない。
【０００７】
本発明は、このような状況に鑑み、色覚障害者にとって認識し易い画像を提供することができるようにするものである。
【課題を解決するための手段】
【０００８】
本発明の画像処理装置は、補正の対象画像に、色覚障害者により本来の色とは異なる第２の色に認識される第１の色が付された第１の領域とともに、第２の色が付された第２の領域が存在するか否かを判定する判定手段と、判定手段により、第１の領域とともに第２の領域が対象画像に存在すると判定された場合、色覚障害者が、第１の領域と第２の領域を見分けることができるように、少なくとも、第１の領域若しくは第２の領域の一方の色を第３の色に変換する補正手段とを有することを特徴とする。
【０００９】
補正手段は、異なる色が示される表示部と、表示部に示されている色の見分けやすさの程度を入力することができる入力部とを有する診断シートの、入力部への入力結果に基づいて、第１の色、第２の色、又は第３の色を決定することができる。
【００１０】
診断シートは、印刷されており、印刷された診断シートの内容を読み取る読み取り手段からの読み取り結果を取得する取得手段をさらに有し、補正手段は、取得手段により取得された、診断シートの入力部への入力結果に基づいて、第１の色、第２の色、または第３の色を決定することができる。
【００１１】
第１の色または第２の色を、第３の色に変換するためのルックアップテーブルを保持する保持手段をさらに有することができる。
【００１２】
補正手段は、第１の色または第２の色が第３の色に変換された第１の領域または第２の領域に対応させて、第３の色に変換される前の第１の色または第２の色を示す情報を表示することができる。
【００１３】
本発明の一側面の画像処理方法は、補正の対象画像に、色覚障害者により本来の色とは異なる第２の色に認識される第１の色が付された第１の領域とともに、第２の色が付された第２の領域が存在するか否かを判定する判定ステップと、判定ステップにより、第１の領域とともに第２の領域が対象画像に存在すると判定された場合、色覚障害者が、第１の領域と第２の領域を見分けることができるように、少なくとも、第１の領域若しくは第２の領域の一方の色を第３の色に変換する補正ステップとを含むことを特徴とする。
【００１４】
本発明の一側面のプログラムは、画像を補正する画像処理をコンピューターに実行させるプログラムであって、補正の対象画像に、色覚障害者により本来の色とは異なる第２の色に認識される第１の色が付された第１の領域とともに、第２の色が付された第２の領域が存在するか否かを判定する判定ステップと、判定ステップにより、第１の領域とともに第２の領域が対象画像に存在すると判定された場合、色覚障害者が、第１の領域と第２の領域を見分けることができるように、少なくとも、第１の領域若しくは第２の領域の一方の色を第３の色に変換する補正ステップとを含む画像処理をコンピューターに実行させることを特徴とする。
【００１５】
本発明の一側面の画像処理装置、画像処理方法、またはプログラムにおいては、補正の対象画像に、色覚障害者により本来の色とは異なる第２の色に認識される第１の色が付された第１の領域とともに、第２の色が付された第２の領域が存在するか否かが判定され、第１の領域とともに第２の領域が対象画像に存在すると判定された場合、色覚障害者が、第１の領域と第２の領域を見分けることができるように、少なくとも、第１の領域若しくは第２の領域の一方の色が第３の色に変換される。
【発明の効果】
【００１６】
本発明によれば、色覚障害者にとって認識し易い画像を提供することができる。
【図面の簡単な説明】
【００１７】
【図１】本発明の実施の形態に係るプリンターの構成例を示すブロック図である。
【図２】色補正処理を実行する場合のプリンターの機能的構成例を示すブロック図である。
【図３】診断シートの例を示す図である。
【図４】色補正処理による色変換の例を示す図である。
【図５】色補正処理による他の色変換の例を示す図である。
【図６】色補正処理の具体例を示す図である。
【図７】色補正処理の他の具体例を示す図である。
【図８】色補正処理の他の具体例を示す図である。
【図９】色補正処理の他の具体例を示す図である。
【発明を実施するための形態】
【００１８】
以下に本発明の実施の形態を説明するが、本発明の構成要件と、発明の詳細な説明に記載の実施の形態との対応関係を例示すると、次のようになる。この記載は、本発明をサポートする実施の形態が、発明の詳細な説明に記載されていることを確認するためのものである。従って、発明の詳細な説明中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００１９】
本発明の一側面の画像処理装置は、
補正の対象画像に、色覚障害者により本来の色とは異なる第２の色（たとえば、茶色）に認識される第１の色（たとえば、赤色）が付された第１の領域とともに、第２の色が付された第２の領域が存在するか否かを判定する判定手段（たとえば、図２の判定部４１）と、
判定手段により、第１の領域とともに第２の領域が対象画像に存在すると判定された場合、色覚障害者が、第１の領域と第２の領域を見分けることができるように、少なくとも、第１の領域若しくは第２の領域の一方の色を第３の色（たとえば、青色）に変換する補正手段（たとえば、図２の補正部４２）と
を有することを特徴とする。
【００２０】
補正手段は、異なる色が示される表示部（たとえば、図３の表示部５２）と、表示部に示されている色の見分けやすさの程度を入力することができる入力部（たとえば、図３の入力部５３）とを有する診断シート（たとえば、図３の診断シート５１）の、入力部への入力結果に基づいて、第１の色、第２の色、又は第３の色を決定することができる。
【００２１】
診断シートは、印刷されており、
印刷された診断シートの内容を読み取る読み取り手段からの読み取り結果を取得する取得手段（たとえば、図１のスキャナー入力部１７）をさらに有し、
補正手段は、取得手段により取得された、診断シートの入力部への入力結果に基づいて、第１の色、第２の色、または第３の色を決定することができる。
【００２２】
第１の色または記第２の色を、第３の色に変換するためのルックアップテーブルを保持する保持手段（たとえば、図２の補正データ保持部３３）をさらに有することができる。
【００２３】
補正手段は、第１の色または第２の色が第３の色に変換された第１の領域または第２の領域に対応させて、第３の色に変換される前の第１の色または第２の色を示す情報を表示する（たとえば、図９）ことができる。
【００２４】
図１は、本発明を適用したプリンター１のハードウェアの構成例を示すブロック図である。このプリンター１は、メモリーカード２０等から取得した画像データに基づき画像を印刷する、いわゆるダイレクトプリントに対応したカラーインクジェットプリンターである。なおカラー印刷だけでなく、モノクロ印刷についても、本発明を適用することができる。
【００２５】
プリンター１は、ＣＰＵ１１、内部メモリー１２、操作部１３、表示部１４、プリンターエンジン１５、およびカードインターフェース（Ｉ／Ｆ）１６を備えている。
【００２６】
ＣＰＵ（central processing unit）１１は、各部を制御して、内部メモリー１２に格納されているプログラムに応じて各種の処理等を実行する。
【００２７】
たとえばＣＰＵ１１は、補正処理の対象となるカラー画像（以下、対象画像ＴＩともいう）に対して、ユーザの色覚障害に応じた色補正を行う。この色補正処理の詳細は、後述する。
【００２８】
内部メモリー１２は、ＣＰＵ１１が実行する各種プログラムや各種データを格納しているＲＯＭ（Read Only Memory）、およびＣＰＵ１１が実行対象とするプログラムやデータを一時的に格納するＲＡＭ（Random Access Memory）を有して構成されている。
【００２９】
操作部１３は、ボタンやタッチパネルの１つまたは複数により構成され、ユーザによる操作内容をＣＰＵ１１に通知する。
【００３０】
表示部１４は、液晶ディスプレイ等により構成され、ＣＰＵ１１から供給された表示データに対応する画像を表示する。
【００３１】
プリンターエンジン１５は、ＣＰＵ１１から供給された印刷データに基づき印刷を行う印刷機構である。
【００３２】
カードインターフェース（Ｉ／Ｆ）１６は、カードスロット１９に挿入されたメモリーカード２０との間でデータのやり取りを行うためのインターフェースである。なお、この例では、メモリーカード２０にＲＧＢデータとしての画像データが格納されており、プリンター１は、カードインターフェース１６を介してメモリーカード２０に格納された画像データの取得を行う。
【００３３】
スキャナー入力部１７は、スキャナー２１から供給された画像データに対して、２値化処理等の所定の画像処理を施す。スキャナー２１は、図示せぬ原稿台ガラスに置かれた原稿を光学的に読み取ってＣＣＤ（電荷結合素子）に蓄えられた電荷をＡ／Ｄ変換し、その結果得られたデジタル画像データを、スキャナー入力部１７に供給する。
【００３４】
プリンター１の各構成要素は、バス１８を介して互いに接続されている。
【００３５】
なおプリンター１は、さらに、他の機器（例えばデジタルスチルカメラ）とのデータ通信を行うためのインターフェースを備えているとしてもよい。
【００３６】
図２は、色補正処理を実行するためのプリンター１の機能的構成例を示すブロック図である。この機能は、ＣＰＵ１１が内部メモリー１２に記憶されている所定のプログラムを実行することより実現可能となる。
【００３７】
診断部３１は、使用者の色覚障害の状態を診断する。この例の場合、ユーザは、印刷された診断シートの質問事項に対して解答し、解答が記入された診断シートをスキャナー２１で読み取らせる。
【００３８】
図３は、診断シート５１の例を示す図である。この診断シート５１には、色覚障害者が見分けし難い複数の色が付された矩形（図３の例では、２個の色）の組みが配置される表示部５２と、その組みの中の色の見分け難さをユーザが入力する入力部５３が設けられている。図３の例では、ユーザは、表示部５２に、横に並んで表示されている色を見て、入力部５３の、両者を見分け難さの程度に対応したチェックボックスにレ点を記入する。
【００３９】
診断シート５１がスキャナー２１で読み取られると、その結果得られた画像データが、スキャナー入力部１７を介して診断部３１に供給される。診断部３１は、スキャナー入力部１７から供給された画像データを解析して、診断シート５１の入力部５３への入力結果を検出し、その検出結果に基づいて、ユーザの色覚障害の状態を診断する。
【００４０】
たとえば診断部３１は、入力部５３に、「赤色」と「茶色」を見分けることができない旨の入力があった場合、「赤色」を「茶色」に認識する傾向があると診断する。また、診断部３１は、入力部５３に、「緑色」と「茶色」を見分けることができない旨の入力があった場合、「緑色」を「茶色」に認識する傾向があると診断する。診断部３１は、診断結果を、たとえばユーザの識別情報に対応させて、カードＩ／Ｆ１６を介してメモリーカード２０に記憶させる。
【００４１】
図２に戻り色補正部３２は、診断部３１によるユーザの診断結果に基づいて、ユーザが、対象画像ＴＩの中で異なる色が付されている領域をそれぞれ見分けることができるように所定の色補正を行う。色補正部３２は、判定部４１と補正部４２から構成されている。
【００４２】
判定部４１は、ユーザが本来の色とは異なる色（以下、誤認色と称する）に認識する色（以下、障害色と称する）が付されている領域と、障害色を見て認識する色（即ち障害色の誤認色）が付されている領域の両方が、対象画像ＴＩに存在するか否かを判定する。
【００４３】
たとえば「赤色」を「茶色」に認識する傾向にある場合、「赤色」が障害色となり、「茶色」が「赤色」の誤認色となる。すなわちこの場合、図４の最も左側に示すように、「赤色」（即ち障害色）が付されている領域と、「茶色」（即ち赤色の誤認色）が付されている領域が、対象画像ＴＩに存在するか否かが判定される。なお図４においてかっこ内に示されている色は、色覚障害者としてのユーザが認識する色を示している。他の図においても同様である。
【００４４】
またたとえば「赤色」を「茶色」に認識する傾向にあるとともに、「緑色」を「茶色」に認識する傾向にある場合、「赤色」と「緑色」が障害色となり、「茶色」が「赤色」と「緑色」の誤認色となる。すなわちこの場合、図５の最も左側に示すように、「赤色」（即ち障害色）が付されている領域、「緑色」（即ち障害色）が付されている領域、そして「茶色」（即ち赤色と青色の誤認色）が付されている領域が、対象画像ＴＩに存在するか否かが判定される。
【００４５】
なお判定部４１は、この判定に際し、対象画像ＴＩのＲＧＢ成分についてのヒストグラムを生成する。そして判定部４１は、そのヒストグラムに基づいて、障害色が付されている領域とその障害色の誤認色が付されている領域が、対象画像ＴＩに存在するか否かの判定を行う。
【００４６】
補正部４２は、判定部４１により、ユーザにとって障害色が付されている領域とその障害色の誤認色が付されている領域の両方が、対象画像ＴＩに存在すると判定された場合、補正データ保持部３３に保持されているルックアップテーブルを参照して、たとえば、障害色を、その障害色の誤認色と異なる色で認識される色（以下、代替色と称する）に変換する色補正処理を実行する。
【００４７】
たとえば「赤色」を「茶色」に認識する傾向にある場合において、図４の左から第２番目に示すように、「赤色」（即ち障害色）が付されている領域と「茶色」（即ち赤色の誤認色）が付されている領域が対象画像ＩＴに存在すると判定された場合、図４の左から第３番目（最も右側）に示すように、「赤色」が「青色」に変換され、「茶色」はそのままとされる。このように「赤色」を「青色」に変換することにより、ユーザは、「赤色」が付されていた領域を「青色」が付されている領域として認識し、「茶色」が付されている領域を「茶色」が付されている領域として認識し、両者の領域を色で見分けることができる。
【００４８】
また「赤色」を「茶色」に認識する傾向にあるとともに、「緑色」を「茶色」に認識する傾向がある場合において、図５の中央の最も上に示すように、「緑色」（即ち障害色）が付されている領域と「茶色」（即ち緑色の誤認色）が付されている領域が対象画像ＴＩに存在すると判定された場合、図５の右側の最も上に示すように、「緑色」が「青色」に変換され、「茶色」はそのままとされる。このように「緑色」を「青色」に変換することにより、ユーザは、「緑色」が付されていた領域を「青色」が付されている領域として認識し、「茶色」が付されている領域を「茶色」が付されている領域として認識し、両者の領域を色で見分けることができる。
【００４９】
また同様に「赤色」を「茶色」に認識する傾向があるとともに、「緑色」を「茶色」に認識する傾向がある場合において、図５の中央の上から２番目に示すように、「赤色」（即ち障害色）が付されている領域と「緑色」（即ち障害色）が付されている領域が対象画像ＴＩに存在すると判定された場合、図５の右側の上から２番目に示すように、「赤色」が「青色」に変換され、「緑色」はそのままとされる。このように「赤色」を「青色」に変換することにより、ユーザは、「赤色」が付されていた領域を「青色」が付されている領域として認識し、「緑色」が付されている領域を「茶色」が付されている領域として認識し、両者の領域を色で見分けることができる。
【００５０】
また同様に「赤色」を「茶色」に認識する傾向にあるとともに、「緑色」を「茶色」に認識する傾向にある場合において、「赤色」（即ち障害色）が付されている領域、「緑色」（即ち障害色）が付されている領域、そして「茶色」（すなわち赤色と緑色の誤認色）が付されている領域が対象画像ＴＩに存在すると判定された場合、図５の右側の上から３番目（最も下）に示すように、「赤色」が「青色」に変換され、「緑色」が「灰色」に変換され、そして「茶色」はそのままとされる。このように「赤色」を「青色」に変換し、「緑色」を「灰色」に変換することにより、ユーザは、「赤色」が付されていた領域を「青色」が付されている領域として認識し、「緑色」が付されていた領域を「灰色」が付されている領域として認識し、そして「茶色」が付されている領域を「茶色」が付されている領域として認識し、それらの領域を色で見分けることができる。なおこの場合、「灰色」はそのまま「灰色」として認識されるものとする。
【００５１】
補正データ保持部３３に保持されているルックアップテーブルは、想定される色覚障害における「障害色」を「代替色」に変換するためのデータが設定されている。たとえば赤色のRGB(255，0,0)を、青色のRGB(0,0,255)に変換するためのデータが設定されている。
【００５２】
再び図２に戻り出力制御部３４は、色補正処理が施された対象画像ＴＩの画像データから表示データまたは印刷データを生成する処理を実行する。表示データは表示部１４に供給されて表示される。印刷データはプリンターエンジン１５に供給され、印刷データに基づく画像の印刷が実行される。
【００５３】
色補正部３２における色補正処理を、図６から図８を参照してより具体的に説明する。なおユーザは、「赤色」を「茶色」に認識する傾向にあるとともに、「緑色」を「茶色」に認識する傾向にあるものとする。即ちこの場合、「赤色」（即ち障害色）が付されている領域、「緑色」（即ち障害色）が付されている領域、そして「茶色」（即ち赤色と青色の誤認色）が付されている領域が、対象画像ＴＩに存在するか否かが判定される。
【００５４】
図６の左側に示す対象画像ＴＩは、「赤色」が付されている矩形領域Ｔ1、「緑色」が付されている矩形領域Ｔ2、そして「茶色」が付されている矩形領域Ｔ3等の矩形領域からなる棒グラフを含む画像である。すなわちこの対象画像ＴＩの場合、判定部４１は、「赤色」が付されている領域、「緑色」が付されている領域、そして「茶色」が付されている領域が存在すると判定する。なお矩形領域Ｔ1，Ｔ2，Ｔ3からの引き出し線等は、矩形領域Ｔ1，Ｔ2，Ｔ3に付された色と、その色を見た色覚障害者が認識する色を示すものであり、実際に対象画像ＴＩにおいて表示されるものではない。
【００５５】
そしてその判定に基づいて、補正部４２は、図６に右側に示すように、矩形領域Ｔ1の色を「赤色」から「青色」に変換し、矩形領域Ｔ2の色を「緑色」から「灰色」に変換し、そして矩形領域Ｔ3の色を「茶色」のままとする。その結果、ユーザは、矩形領域Ｔ1，Ｔ2，Ｔ3には、「青色」、「灰色」、そして「茶色」が付されていると認識し、矩形領域Ｔ1，Ｔ2，Ｔ3を、それらの色で見分けることができる。
【００５６】
図６の左側に示す対象画像ＴＩがそのまま印刷された場合、ユーザは、矩形領域Ｔ1，Ｔ2，Ｔ3の色をすべて「茶色」に認識するので、それらを色によって見分けることができない。すなわち棒グラフの内容を正確に把握することができない。これに対して、図６の右側に示すように色補正を行えば、矩形領域Ｔ1，Ｔ2，Ｔ3を、色で見分けることができるので、棒グラフの内容を正確に把握することができる。
【００５７】
図７の左側に示す対象画像ＴＩは、「赤色」が付されている枠Ｒ1、「緑色」が付されている枠Ｒ2、そして「茶色」が付されている枠Ｒ3等を用いた駅等で用いられる案内板の画像である。すなわち対象画像ＴＩの場合、判定部４１は、「赤色」が付されている領域、「緑色」が付されている領域、そして「茶色」が付されている領域が存在すると判定する。なお枠Ｒ1，Ｒ2，Ｒ3からの引き出し線等は、枠Ｒ1，Ｒ2，Ｒ3に付された色と、その色を見た色覚障害者が認識する色を示すものであり、実際に対象画像ＴＩにおいて表示されるものではない。
【００５８】
そしてその判定に基づいて、補正部４２は、図７に右側に示すように、枠Ｒ1の色を「赤色」から「青色」に変換し、枠Ｒ2の色を「緑色」から「灰色」に変換し、そして枠Ｒ3の色を「茶色」のままとする。その結果、ユーザは、枠Ｒ1，Ｒ2，Ｒ3には、「青色」、「灰色」、そして「茶色」が付されていると認識するので、枠Ｒ1，Ｒ2，Ｒ3を、それらの色で見分けることができる。
【００５９】
図７の左側に示す対象画像ＴＩがそのまま印刷された場合、ユーザは、枠Ｒ1，Ｒ2，Ｒ3の色をすべて「茶色」に認識するので、それらを色によって見分けることができない。すなわち案内板の内容を正確に把握することができない。これに対して、図７の右側に示すように色補正を行えば、枠Ｒ1，Ｒ2，Ｒ3を、色で見分けることができるので、案内板の内容を正確に把握することができる。
【００６０】
図８の左側に示す対象画像ＴＩは、「赤色」が付されている路線Ｗ1、「緑色」が付されている路線Ｗ2、そして「茶色」が付されている路線Ｗ3等を用いた電車の路線図の画像である。すなわちこの場合、判定部４１は、「赤色」が付されている領域、「緑色」が付されている領域、そして「茶色」が付されている領域が存在すると判定する。なお路線Ｗ1，Ｗ2，Ｗ3からの引き出し線等は、ＷＲ1，Ｗ2，Ｗ3に付された色と、その色を見た色覚障害者が認識する色を示すものであり、実際に対象画像ＴＩにおいて表示されるものではない。
【００６１】
そしてその判定に基づいて、補正部４２は、図８に右側に示すように、路線Ｗ1の色を「赤色」から「青色」に変換し、路線Ｗ2の色を「緑色」から「灰色」に変換し、そして路線Ｗ3の色を「茶色」のままとする。その結果、ユーザは、路線Ｗ1，Ｗ2，Ｗ3には、青色、灰色、そして茶色が付されていると認識し、路線Ｗ1，Ｗ2，Ｗ3を、それらの色で見分けることができる。
【００６２】
図８の左側に示す対象画像ＴＩがそのまま印刷された場合、ユーザは、路線Ｗ1，Ｗ2，Ｗ3を色によって見分けることができないので、路線図の内容を正確に把握することができない。これに対して、図８の右側に示すように色補正を行えば、路線Ｗ1，Ｗ2，Ｗ3を、それらの色で見分けることができるようになるので、路線図の内容を正確に把握することができる。
【００６３】
以上のように、対象画像ＴＩに、たとえば、色覚障害者により本来の色とは異なる「茶色」に認識される「赤色」が付された領域とともに、「茶色」が付された領域が存在するか否かを判定し、
両方の領域が対象画像ＴＩに存在すると判定した場合、色覚障害者が、両方の領域を見分けることができるように、たとえば、「赤色」を「青色」に変換するようにしたので、色覚障害者にとって認識し易い画像を提供することができる。
【００６４】
また異なる色が表示される表示部５２と、表示部５２に示されている色の見分け難さの程度を入力することができる入力部５３とを有する診断シート５１の、入力部５３への入力結果に基づいて、色補正を行うようにしたので、
個々のユーザに対応した色補正を行うことができる。
【００６５】
色覚障害者には、異常がある錘体系によって、大きく第１色盲、第２色盲、そして第３色盲に分けられているが、色の見え方は人によって異なる。そこでこのような障害の一般的なタイプによらずに、個々のユーザの診断結果に基づいて色補正を行うことで、その個人に対してより適切な色補正を行うことができる。
【００６６】
なお以上においては、診断シート５１は印刷されており、それをスキャナー２１で読み取らせるようにしたが、たとえば表示部１４に表示させて、操作部１３で診断シート５１の入力部５３への入力を行えるようにすることもできる。
【００６７】
また以上においては、色変換された領域は、変換された色でその領域が認識されるが、その領域に対応させて、変換前の色を示す情報を表示させることもできる。図９は、図６に左側に示した色補正された対象画像ＴＩの色が変換された矩形領域Ｔ1,Ｔ2，Ｔ3に、変換前の色の名前が表示されている例を示す図である。このように変換前の色をユーザが認知することができれば、より正確に画像の内容を把握することができる。
【００６８】
また以上においては、ユーザの診断結果は、メモリーカード２０に記憶されたが、ユーザの診断結果が記憶されたメモリーカード２０を携帯し、別のプリンターや表示装置に用いれば、たとえば診断シートによる診断を行わなくても、そのユーザにとって最適な色補正が施された印刷物や表示画像の提示を受けることができる。メモリーカード２０にユーザの診断結果が記憶されている場合、診断部３１は、メモリーカード２０からユーザの診断結果を読み出し、色補正部３２は、その診断結果に基づいて色補正を行う。
【００６９】
また以上においては、「赤色」を「青色」に変換し、「青色」を「灰色」に変換する場合を例として説明したが、これは一例であり、この色変換は、ユーザの色覚障害によって決定される。また色味の程度をより細かく変換することもできる。また明るさを変換することもできる。
【００７０】
［他の実施例］
なお上述した機能は、コンピューターによって実現することができる。その場合、上述した機能の処理内容を記述したプログラムが提供される。そのプログラムをコンピューターで実行することにより、処理機能がコンピューター上で実現される。処理内容を記述したプログラムは、コンピューターで読み取り可能な記録媒体に記録しておくことができる。コンピューターで読み取り可能な記録媒体としては、磁気記録装置、光ディスク、光磁気記録媒体、半導体メモリーなどがある。磁気記録装置には、ハードディスク装置（ＨＤＤ）、フレキシブルディスク（ＦＤ）、磁気テープなどがある。光ディスクには、ＤＶＤ（Digital Versatile Disk）、ＤＶＤ−ＲＡＭ、ＣＤ−ＲＯＭ（Compact Disk ROM）、ＣＤ−Ｒ（Recordable）／ＲＷ（ReWritable）などがある。光磁気記録媒体には、ＭＯ（Magneto-Optical disk）などがある。
【００７１】
プログラムを流通させる場合には、たとえば、そのプログラムが記録されたＤＶＤ、ＣＤ−ＲＯＭなどの可搬型記録媒体が販売される。また、プログラムをサーバコンピューターの記憶装置に格納しておき、ネットワークを介して、サーバコンピューターから他のコンピューターにそのプログラムを転送することもできる。
【００７２】
プログラムを実行するコンピューターは、たとえば、可搬型記録媒体に記録されたプログラム若しくはサーバコンピューターから転送されたプログラムを、自己の記憶装置に格納する。そして、コンピューターは、自己の記憶装置からプログラムを読み取り、プログラムに従った処理を実行する。なお、コンピューターは、可搬型記録媒体から直接プログラムを読み取り、そのプログラムに従った処理を実行することもできる。また、コンピューターは、サーバコンピューターからプログラムが転送される毎に、逐次、受け取ったプログラムに従った処理を実行することもできる。
【００７３】
なお上記実施例において、ハードウェアによって実現されていた構成の一部をソフトウェアに置き換えるようにしてもよく、逆に、ソフトウェアによって実現されていた構成の一部をハードウェアに置き換えるようにしてもよい。
【００７４】
またフローチャートにその流れを示した処理は、各ステップが、記載された順序に沿って時系列的に行われる処理はもちろん、必ずしも時系列的に処理されなくても、並列的あるいは個別に実行される処理を含むものである。また適宜処理を省略することもできる。
【符号の説明】
【００７５】
１  プリンター，  １１  ＣＰＵ，  １２  内部メモリー，  １３  操作部，１４  表示部，  １５  プリンターエンジン，  １６  カードＩ／Ｆ，  １７  スキャナー入力部，  １９  カードスロット，  ２０  メモリーカード，  ２１  スキャナー，  ３１  診断部，  ３２  色補正部，  ３３  補正データ保持部，  ３４  出力制御部，  ４１  判定部，  ４２  補正部
【図１】
2010245989.tif 000003
【図２】
2010245989.tif 000004
【図３】
2010245989.tif 000005
【図４】
2010245989.tif 000006
【図５】
2010245989.tif 000007
【図６】
2010245989.tif 000008
【図７】
2010245989.tif 000009
【図８】
2010245989.tif 000010
【図９】
2010245989.tif 000011